【事件の表示】
　特願２００３−３８５１２０「スピンドルモータのセンタリング装置」拒絶査定不服審判事件〔平成１７年　２月１７日出願公開、特開２００５−　４４４８７〕について、次のとおり審決する。
【結　論】
　本件審判の請求は、成り立たない。
【理　由】
１　手続の経緯
　
　本願は、平成１５年１１月１４日（パリ条約の例による優先権主張　２００３年７月２４日　台湾）の出願であって、平成１８年７月２４日付け拒絶理由の通知に対する応答期間内の同年１０月２６日付けで手続補正がなされたが、同年１１月１５日付けで拒絶査定がなされ、これに対し、平成１９年２月１６日付けで拒絶査定不服審判が請求されたものである。
　
２　本願発明
　
　本願の請求項１乃至５に係る発明は、平成１８年１０月２６日付け手続補正により補正された特許請求の範囲の請求項１乃至５に記載されたとおりのものであるところ、その請求項１に係る発明（以下「本願発明」という。）は次のとおりである。
　
「スピンドルモータの回転子の表面に設けられ、中央に前記スピンドルモータの回転軸を収容する中央孔が設けられた本体部と、
　前記本体部の周縁に円周方向に沿って設けられた複数のセンタリング弾性部群とを有し、
　前記各センタリング弾性部群は、少なくとも２つの弾性部を有し、各弾性部は、前記本体部から前記回転子の円周方向に延び、光ディスクの前記スピンドルモータの回転軸に対するセンタリングを案内するために、前記光ディスクを押圧するようにされた自由端を備え、前記弾性部の隣接する自由端は、前記本体部から円周方向逆向きに延びているスピンドルモータのセンタリング装置。」
　
３　引用例
　
　原査定の拒絶の理由に引用された、本願の優先権主張の日前に頒布された刊行物である特開２００２−５０１００号公報（以下「引用例」という。）には、ディスク調芯構造体に関し、図面とともに、以下の記載がある（下線は、当審で付した。）。
　
ア．「【０００１】
【発明の属する技術分野】
本発明は、
ディスク駆動装置に用いられるディスク調芯構造体に関する
【０００２】
【従来の技術】一般に、
ＣＤ−ＲＯＭやＤＶＤ−ＲＯＭ等の情報記録媒体（以下、ディスクという）
　
イ．「【０００４】そこで、従来、ディスク駆動装置にディスク調芯構造体を設け、ターンテーブルに載置される
ディスクを調芯（センタリング）
　
ウ．「【００１６】
【発明の実施の形態】以下、実施の形態を示す図面に基づき、本発明を詳説する。
【００１７】図1は、本発明のディスク調芯構造体の実施の一形態を示す一部断面側面図であり、図2は平面図であり、
本構造体は、
ディスクＤを調芯するもの
【００１８】なお、ディスクＤは、ＣＤ−ＲＯＭやＤＶＤ−ＲＯＭ等の情報記録媒体であり、「ターンテーブル２に載置されるディスクＤを調芯する」とは、ディスクＤの中心をシャフト１の軸心Ｌに略一致（乃至一致）させてディスクＤをターンテーブル２上に保持することをいう。
【００１９】本構造体は、ディスクＤをアクセスして情報の読み出し・書き込みを（図示省略の）ピックアップにて行なうディスク駆動装置（モータ）20に用いられている。具体的に述べると、ディスク駆動装置20は、
ロータ21ａとステータ基板21ｂとから成るモータ部21
ターンテーブル２は、ロータ21ａに固着された（軸心Ｌ廻りに回転する）シャフト１を介して、モータ部21に取り付けられ
【００２０】
ターンテーブル２は、ディスクＤが載置される支持部４と、ディスクＤが調芯される調芯部５と、を備え、支持部４は、シャフト１に外嵌状に固着される筒部４ａと、筒部４ａの下端に外鍔状に固着されると共にディスクＤの下面が環状の滑止め部材６を介して載置される環状のフランジ部４ｂと、からなる
【００２１】
調芯部５は、その内周が支持部４の筒部４ａに外嵌されると共に支持部４のフランジ部４ｂに載置状に固着される
【００２２】要するに、ターンテーブル２（支持部４及び調芯部５）とクランプマグネット23は、シャフト１と共に、軸心Ｌ廻りに回転する。
【００２３】また、
調芯部５は、平面視円弧状に周方向に延設された複数の調芯爪部３…を有し、該調芯爪部３…が、軸心Ｌと直交するラジアル平面内で片持梁状に弾性変形して縮径・拡径可能となる
【００２４】具体的に述べると、図３の斜視図及び図４の平面図に示すように、
調芯部５は、軸心Ｌを中心とする外周端縁９に沿って、平面視円弧状の平板型の調芯爪部３及び突部10が、交互に、複数個（本実施の形態では、３個ずつ）配設されている
【００２５】
調芯爪部３は、その一端を、連結片11を介して、外周端縁９に固着され
【００２６】また、
調芯爪部３は、その他端側につれて、外周端縁９から（しだいに）離間するように配設されており
【００２７】このように片持梁状に配設された調芯爪部３は、連結片１１（及び調芯爪部３）の弾性変形により、
調芯爪部３の他端側（先端側）
　
エ．「【００２９】次に、上述の如く構成された調芯部５にディスクＤを嵌め込む方法を説明する。即ち、ディスクＤの中心を軸心Ｌに略一致させて、ディスクＤを（上方から）ターンテーブル２に近づけていくと、第１仮想円Ｃ1 の半径ｒ1 が、ディスクＤの中心孔の半径よりも大きく設定されているため、図５（Ａ）に示すように、ディスクＤの内周縁８が、調芯爪部３（の先端側）の上端角部12に当接する。そして、この上端角部12は、下方側が拡径するように傾斜状に形成されているため、ディスクＤをさらに下方へ押し込むと、
図５（Ｂ）に示すように、ディスクＤの内周縁８が、上端角部12に摺接しながら、調芯爪部３（の先端側）を径方向内方（外周端縁９側）へ押圧状に縮径させて（撓ませて）
　
オ．「【００３４】なお、本発明は、上述の実施の形態に限定されず、調芯爪部３…を４個以上として、ディスクＤがターンテーブル２に確実に装着されるようにしてもよく、また、バネ等の弾性体を用いて調芯爪部３をラジアル平面内でのみ縮径・拡径可能となるようにしてもよく、さらに、
調芯爪部３の形状は、本発明の要旨を逸脱しない範囲で設計変更可能である
　
　上記摘示事項及び図面の記載を総合勘案すると、引用例には、次の発明（以下「引用例発明」という。）が記載されているものと認める。
　
「ロータに固着されたシャフトを介してモータ部に取り付けられたターンテーブルは、ディスクを載置する支持部とディスクを調芯する調芯部とを備え、
　支持部は、シャフトに外嵌状に固着される筒部と環状のフランジ部とからなり、
　調芯部は、その内周が支持部の筒部に外嵌され、また、外周端縁に沿って周方向に延設された複数の調芯爪部を有し、
　調芯爪部は、一端を連結片を介して外周端縁に固着され、他端側（先端側）につれて外周端縁から離間するように配設され、ディスクを調芯（センタリング）するために、片持梁状に弾性変形する
　ディスク調芯構造体。」
　
４　対比
　
　本願発明と引用例発明とを対比する。
　
（１）引用例発明の「モータ部」は、本願発明の「スピンドルモータ」に相当し、引用例発明の「シャフト」は、本願発明の「回転軸」に相当する。
　引用例発明の「調芯部」は、その内周が筒部に外嵌され、該筒部はシャフトに外嵌状に固着されるものであるから、調芯部の中央孔はシャフトを収容しているといえる。
　結局、引用例発明の「調芯部」は、本願発明の「中央にスピンドルモータの回転軸を収容する中央孔が設けられた」「本体部」に相当する。
（２）引用例発明の「調芯爪部」は、（調芯部の）外周端縁に沿って周方向に複数延設されるものであるから、本願発明の「本体部の周縁に円周方向に沿って設けられた複数の」「センタリング弾性部」に相当する。
　なお、本願発明が「センタリング弾性部群」で構成されていることについては、相違点として別途検討する。
（３）引用例発明の「ロータ」及び「ディスク」は、本願発明の「回転子」及び「光ディスク」にそれぞれ相当する。
　引用例発明の「調芯爪部」は、「片持ち梁状に弾性変形する」ものであるから、「弾性部」を有し、「自由端」を備えていることは明らかである。
　引用例発明の「調芯爪部」は、「一端を連結片を介して（調芯部の）外周端縁に固着され、他端側（先端側）につれて外周端縁から離間するように配設され」ものであるから、引用例発明の「調芯爪部」がロータの円周方向に延びている弾性部を有していることは明らかである。
　引用例発明の「ディスクを調芯（センタリング）するために」は、本願発明の「光ディスクのスピンドルモータの回転軸に対するセンタリングを案内するために」に相当する。
　引用例発明の「調芯爪部」は、ディスクの内周縁が調芯爪部を径方向内方へ押圧状に縮径させ（上記「３　エ．」参照）るものであるから、該調芯爪部はディスクを押圧していることになる。
　結局、引用例発明は本願発明の「各センタリング弾性部」「は、」「弾性部を有し、各弾性部は、前記本体部から前記回転子の円周方向に延び、光ディスクの前記スピンドルモータの回転軸に対するセンタリングを案内するために、前記光ディスクを押圧するようにされた自由端を備え」に相当する構成を備えている。
（８）引用例発明の「ディスク調芯構造体」は、本願発明の「スピンドルモータのセンタリング装置」に相当する。
　
　したがって、本願発明と引用例発明は次の点で一致する。 
　
 ＜一致点＞ 
　「中央にスピンドルモータの回転軸を収容する中央孔が設けられた本体部と、
　前記本体部の周縁に円周方向に沿って設けられた複数のセンタリング弾性部とを有し、
　前記各センタリング弾性部は、弾性部を有し、各弾性部は、前記本体部から前記回転子の円周方向に延び、光ディスクの前記スピンドルモータの回転軸に対するセンタリングを案内するために、前記光ディスクを押圧するようにされた自由端を備えているスピンドルモータのセンタリング装置。」
　
　一方、次の各点で相違する。
　 
 ＜相違点＞  
（１）「本体部」について、本願発明は「スピンドルモータの回転子の表面に設けられ」ているのに対して、引用例発明はターンテーブルに備えられたものである点。
　
（２）「センタリング弾性部」について、本願発明は「少なくとも２つの弾性部を有するセンタリング弾性部群」で構成され、「弾性部の隣接する自由端は、本体部から円周方向逆向きに延び」るものであるのに対して、引用例発明はセンタリング弾性部群で構成されていない点。
　
５　当審の判断
　
　上記相違点について検討する。
　
（相違点（１）について）
　光ディスク装置において、光ディスクをスピンドルモータの回転軸にセンタリングするために、センタリング部材（本体部）をスピンドルモータのロータ（回転子）の表面に設ける構成は周知（特開平１０−２１４４５２号公報の段落【００４６】〜【００５０】の記載、図６，７、特開平１０−２０８３７１号公報の【請求項２】、段落【００１１】の記載等を参照）であるから、引用例発明において、調芯部（本体部）をターンテーブルに設ける構成に代えて、モータ部（スピンドルモータ）のロータ（回転子）の表面に設ける構成とすることは、当業者が容易に想到できたものである。
　
（相違点（２）について）
　一対の自由端が隣接するように逆向きに伸びて構成された弾性部材は分野を問わず周知（実願平２−７９１８９号（実開平４−３８０８５号）のマイクロフィルムにおける一対の切り起こし部（第３図）、実願平４−５２４７８号（実開平６−２４１０４号）のＣＤ−ＲＯＭにおける一対の係止片（第１４図）等を参照。）であり、弾性部材は一対で形成されることにより、確実な押圧がなされるとともに、各弾性部材の変形や損傷が防止されることは明らかである。
　また、上記引用例には、調芯爪部を設計変更可能とすること（上記「３　オ．」参照）が記載されている。
　そうすると、引用例発明において、調芯爪部（センタリング弾性部）の構成を一対の調芯爪部（センタリング弾性部）で構成される調芯爪部（センタリング弾性部）群とし、２つの先端側が周方向に逆向きに延設するように構成すること、すなわち相違点（２）の、「少なくとも２つの弾性部を有するセンタリング弾性部群」で構成され、かつ、「弾性部の隣接する自由端は、本体部から円周方向逆向きに延び」る構成とすることは、当業者が容易に想到できたものである。
　
　上記各相違点は、格別なものではなく、また、相違点を総合的に検討しても奏する効果は当業者が当然に予測できる範囲内のものである。
　
５　むすび
　以上のとおり、本願の請求項１に係る発明は、引用例に記載された発明及び周知技術に基づき当業者が容易に発明をすることができたものであり、特許法第２９条第２項の規定により特許を受けることができないのであるから、他の請求項について検討するまでもなく、本願は、拒絶すべきものである。
　よって、結論のとおり審決する。